(57)【要約】【課題】測定者の利き腕に依存することなく操作性が維持される血圧情報測定装置を提供する。【解決手段】血圧情報測定装置は、筐体１１０，１２０と、回転軸５１０と、マイクロスイッチ５２０，５２２と、コイルバネ５１２，５１４と、接点５２０，５２２，５３０，５３２とを含む。筐体１１０が傾くと接点５２０と接点５３０とが接触し、マイクロスイッチ５２０は、筐体１１０が左に傾いたことを示す信号をＣＰＵに送出する。ＣＰＵは、その信号の入力に応答して、左入力について予め規定されている処理を実行する。【選択図】図５
2010046202.tif 000002
【特許請求の範囲】
【請求項１】
血圧情報測定装置であって、
載置面に載置される第１の筐体と、
中空部を有する筐体であって内周にカフが配置された第２の筐体と、
前記第１の筐体と前記第２の筐体とに結合されて、前記第１の筐体に対して予め定められた範囲内で前記第２の筐体の移動を可能にするように構成された連結手段と、
前記第２の筐体の姿勢に応じて前記血圧情報測定装置の動作を制御する制御手段とを備える、血圧情報測定装置。
【請求項２】
前記連結手段は、前記第１の筐体に対して前記第２の筐体を回転自在にするための回転軸を含む、請求項１に記載の血圧情報測定装置。
【請求項３】
前記第２の筐体の移動方向を検出する検出手段をさらに備える、請求項１または請求項２に記載の血圧情報測定装置。
【請求項４】
前記検出手段は、加速度センサ、または、前記第２の筐体と前記第１の筐体との接触状態を検知するスイッチの少なくともいずれかを含む、請求項３に記載の血圧情報測定装置。
【請求項５】
前記移動方向は、前記第２の筐体の中空軸方向に沿う前後方向と、前記前後方向に直交する左右方向とを含む、請求項３または請求項４に記載の血圧情報測定装置。
【請求項６】
前記第２の筐体の姿勢に応じた情報を表示する表示手段をさらに備える、請求項１から請求項５のいずれかに記載の血圧情報測定装置。
【請求項７】
前記制御手段は、前記第２の筐体の移動方向に応じて予め規定されているメニューを前記表示手段に表示させる、請求項６に記載の血圧情報測定装置。
【請求項８】
前記表示手段は、前記第１の筐体に配置されている、請求項６または請求項７に記載の血圧情報測定装置。
【請求項９】
前記表示手段は、前記第２の筐体に配置されている、請求項６または請求項７に記載の血圧情報測定装置。
【請求項１０】
前記血圧情報測定装置に対する操作入力を受け付ける操作手段をさらに備える、請求項１から請求項９のいずれかに記載の血圧情報測定装置。
【請求項１１】
前記操作手段は、前記血圧情報測定装置に対する指示の入力源を、前記連結手段と前記操作手段との間で切り換えるモードスイッチを含む、請求項１０に記載の血圧情報測定装置。
【発明の詳細な説明】
【技術分野】
【０００１】
本発明は血圧情報測定装置に関し、特に、血圧情報測定装置に対する命令の入力に関する。
【背景技術】
【０００２】
従来の腕帯一体型血圧計は、測定者によらず腕帯を一定の強さで巻き付けることができる。そのため、安定した測定精度が実現されるばかりでなく、煩雑な巻き付け作業が不要になるというメリットがある。
【０００３】
このような血圧計に関し、たとえば、特開２００６−１５０１４３号公報（特許文献１）は、「高い精度で血圧値を測定することが可能であり、測定中において被験者に苦痛を与えることなく、無理なく自然な姿勢にて測定を行なうことが可能となる自動カフ巻付機構を備えた血圧計」を開示している（［要約］）。
【０００４】
また、特開２００７−１３０２８４号公報（特許文献２）は、「被測定者の身体条件に応じて無理なく挿入し測定することが可能であるとともに、被測定者の血圧測定部位を挿入する際の挿入スペースを含んだ装置スペースを最小限とすることが可能である血圧測定装置及び血圧測定システム」を開示している（［要約］）。
【特許文献１】特開２００６−１５０１４３号公報
【特許文献２】特開２００７−１３０２８４号公報
【発明の開示】
【発明が解決しようとする課題】
【０００５】
しかしながら、特開２００６−１５０１４３号公報に開示された技術によると、血圧計での各種スイッチの位置は必ずしも左右対象ではない。また、腕帯と血圧計本体が一体となっているため、測定者の操作しやすい位置に本体を移動させることもできない。そのため、右利きの測定者と左利きの測定者との間で操作性が異なると考えられ、ユニバーサルデザイン上は、好ましくない場合がある。
【０００６】
また、特開２００７−１３０２８４号公報に開示された血圧計によると、測定者の利き腕に合わせて腕帯部を回転することにより操作しやすい位置に測定部を配置させることができるが、装置が大型になるという問題点がある。
【０００７】
本発明は、上述のような問題点を解決するためになされたものであって、その目的は、右利きの測定者および左利きの測定者のいずれに対しても同じ操作性を与えられる血圧情報測定装置を提供することである。
【０００８】
他の目的は、大型化させることなく、右利きの測定者および左利きの測定者のいずれに対しても同じ操作性を与えられる血圧情報測定装置を提供することである。
【課題を解決するための手段】
【０００９】
上記の目的を達成するために、この発明のある局面に従う血圧情報測定装置は、載置面に載置される第１の筐体と、中空部を有する筐体であって内周にカフが配置された第２の筐体と、第１の筐体と第２の筐体とに結合されて、第１の筐体に対して予め定められた範囲内で第２の筐体の移動を可能にするように構成された連結手段と、第２の筐体の姿勢に応じて血圧情報測定装置の動作を制御する制御手段とを備える。
【００１０】
好ましくは、連結手段は、第１の筐体に対して第２の筐体を回転自在にするための回転軸を含む。
【００１１】
好ましくは、血圧情報測定装置は、第２の筐体の移動方向を検出する検出手段をさらに備える。
【００１２】
好ましくは、検出手段は、加速度センサ、または、第２の筐体と第１の筐体との接触状態を検知するスイッチの少なくともいずれかを含む。
【００１３】
好ましくは、移動方向は、第２の筐体の中空軸方向に沿う前後方向と、前後方向に直交する左右方向とを含む。
【００１４】
好ましくは、血圧情報測定装置は、第２の筐体の姿勢に応じた情報を表示する表示手段をさらに備える。
【００１５】
好ましくは、制御手段は、第２の筐体の移動方向に応じて予め規定されているメニューを表示手段に表示させる。
【００１６】
好ましくは、表示手段は、第１の筐体に配置されている。
好ましくは、表示手段は、第２の筐体に配置されている。
【００１７】
好ましくは、血圧情報測定装置は、血圧情報測定装置に対する操作入力を受け付ける操作手段をさらに備える。
【００１８】
好ましくは、操作手段は、血圧情報測定装置に対する指示の入力源を、連結手段と操作手段との間で切り換えるモードスイッチを含む。
【発明の効果】
【００１９】
本発明によると、右利きの測定者および左利きの測定者のいずれに対しても同様の操作性を与えることができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
［外観］
図１を参照して、本発明の実施の形態に係る血圧情報測定装置１００の構成について説明する。図１は、血圧情報測定装置１００の外観を表わす図である。血圧情報測定装置１００は、筐体１１０，１２０と、腕置き１２２と、本体モニタ１３０とを備える。本体モニタ１３０は、筐体１１０に取り付けられている。筐体１１０は、腕帯（図示しない）を含む。
【００２２】
本実施の形態に係る血圧情報測定装置１００は、たとえば、電子血圧計である。より特定的には、たとえば、血圧情報測定装置１００は、自動的に生体（測定者）へ腕帯を巻き付けることが可能な自動腕帯巻付機構を備えた血圧計である。
【００２３】
図１（Ａ）に示されるように、本実施の形態に係る血圧情報測定装置１００は、筐体１１０と筐体１２０とが連結部（後述する）を介して開閉可能なように構成されている。図１（Ａ）に示される例は、血圧情報測定装置１００が閉じられた状態を表わす。一方、筐体１１０は、その内部に挿入される測定部（たとえば測定者の腕）の動きに応じて、連結部（図示しない）の機構にしたがって、筐体１２０に対して予め定められた範囲内で当該連結部の回転機構に沿って移動する。連結部は、たとえば、いわゆるジョイスティック機構として実現されるが、連結部の構成はジョイスティックに限られない。
【００２４】
［移動方向］
図２を参照して、本実施の形態に係る血圧情報測定装置１００の移動の態様について説明する。図２は、筐体１１０の移動の状態を表わす図である。図２（Ａ）を参照して、筐体１１０と筐体１２０とは、連結部１４０に結合されている。連結部１４０は、筐体１１０を回転自在とする機構を含む。そのため、図２（Ｂ）に示されるように、筐体１１０は、測定者の手前に、すなわち、測定者の測定部位（たとえば上腕）の方向に向かって傾くことができる。本実施の形態において、測定者の腕の長手方向、あるいは、筐体１１０の中空部の軸方向に沿う方向を「前後方向」という。また、当該前後方向に直交する方向を「左右方向」という。
【００２５】
また、当該機構により、連結部１４０は、筐体１１０を測定者に対して左右に傾けることができる。図２（Ｃ）に示される例は、筐体１１０が測定者に対して左に傾けられた状態を表わす。図２（Ｄ）は、筐体１１０が測定者に対して右に傾けられた状態を表わす。
【００２６】
［使用態様］
図３および図４を参照して、血圧情報測定装置１００の使用態様について説明する。図３は、測定者３００が腕を血圧情報測定装置１００に挿入した状態を測定者の横から表わす図である。図４は、血圧情報測定装置１００と測定者３００とを上から表わす図である。
【００２７】
図３に示されるように、測定者３００の右上腕３１０は、筐体１１０の中空部に挿入される。測定者３００が体を前後に移動させると、右上腕３１０もそれに応じて移動するため、筐体１１０も前後に移動する。たとえば、測定者３００が前傾姿勢をとると、右上腕３１０は血圧情報測定装置１００の方に向かう。そうすると、筐体１１０は、測定者３００から離れた場所１１０ａの位置に移動する。一方、測定者３００が体を後傾させると、右上腕３１０もそれに応じて測定者３００の上体に向かって移動する。そうすると、筐体１１０は、初期の位置に比べて測定者３００の方に近い場所１１０ｂの位置に移動する。
【００２８】
図４を参照して、血圧情報測定装置１００に対して、測定者３００はその左上腕３２０を筐体１１０に挿入している。この状態で測定者３００が上体を右に傾けると、筐体１１０もそれに応じて移動する。そうすると、筐体１１０は、場所１１０ｃの位置に移動する。一方、測定者３００が上体を左に傾けると、左上腕３２０もそれに応じて移動する。そうすると、筐体１１０は、場所１１０ｄの位置に移動する。
【００２９】
［連結部の構成］
図５を参照して、本実施の形態に係る血圧情報測定装置１００が備える連結部５００について説明する。図５は、筐体１１０，１２０と連結部とを水平方向から表わす図である。
【００３０】
血圧情報測定装置１００は、筐体１１０，１２０に加えて、回転軸５１０と、複数のコイルバネ５１２，５１４と、マイクロスイッチ５２０，５２２，５２４，５２６と、接点５３０，５３２，５４０，５４２とを備える。回転軸５１０と、複数のコイルバネ５１２，５１４と、マイクロスイッチ５２０，５２２，５２４，５２６と、接点５３０，５３２，５４０，５４２とは、連結部１４０として機能する。なお、コイルバネ５１２，５１４の代わりに他の弾性体が使用されてもよい。
【００３１】
図５（Ａ）に示される状態は、筐体１１０と筐体１０とが通常の状態（前後および左右のいずれにも傾いていない状態）を表わす。一方、図５（Ｂ）は、筐体１１０が測定者に対して右に傾いた状態を表わす。このとき、回転軸５１０が右方向に傾き、コイルバネ５１４を圧縮する。そして、接点５３２と接点５４２とが接するため、マイクロスイッチ５２２は導通する。これにより、筐体１１０が筐体１２０に対して右に傾いたことが検知される。左方向および前後方向の移動も同様に検知される。
【００３２】
図６を参照して、筐体１１０の移動の検出についてさらに説明する。図６は、マイクロスイッチ５２０，５２２，５２４，５２６を上から表わす図である。回転軸５１０の下の面には、前述のとおり、マイクロスイッチ５２０，５２２，５２４，５２６が等間隔で配置されている。各マイクロスイッチには、接点５４０，５４２，５４４，５４３がそれぞれ配置されている。なお、マイクロスイッチの配置の態様は、図６に示されるものに限られず、さらに多くのスイッチが配置されてもよい。この場合、各マイクロスイッチの間隔（たとえば、隣接するマイクロスイッチ同士の中心点からの角度）は、等間隔等角度であることが好ましい。
【００３３】
［ハードウェア構成］
図７を参照して、本実施の形態に係る血圧情報測定装置１００の構成についてさらに説明する。図７は、血圧情報測定装置１００のハードウェア構成の概略を表わすブロック図である。
【００３４】
筐体１１０は、測定用カフ７０４を含む。筐体１２０は、ＣＰＵ（Central  Processing  Unit）７５０と、排気弁駆動回路７２１と、排気弁７２２と、エアポンプ駆動回路７２３と、エアポンプ７２４と、圧力センサ７２５と、増幅器７２６と、Ａ／Ｄ（Analog  to  Digital）変換器７２７と、マイクロスイッチ５２０，５２２，５２４，５２６と、フラッシュメモリ７２９と、ＲＡＭ（Random  Access  Memory）７３０と、スピーカ７３２と、時計７３１と、操作スイッチ７３３と、本体モニタ１３０とを備える。本実施の形態に係るＣＰＵ７５０は、判断部７５１と、駆動制御部７５２と、表示制御部７５３とを含む。
【００３５】
排気弁駆動回路７２１は、ＣＰＵ７５０から送られる命令に基づいて、排気弁７２２の開閉を制御する。エアポンプ駆動回路７２３は、ＣＰＵ７５０から送られる命令に基づいて、エアポンプ７２４を駆動する。エアポンプ７２４は、測定用カフ７０６に対して空気を供給する。圧力センサ７２５は、測定用カフ７０４における空気圧を検出し、その検出した空気圧を示す信号を増幅器７２６に送出する。増幅器７２６は、圧力センサ７２５から送られた信号を増幅し、増幅後の信号をＡ／Ｄ変換器７２７に送出する。Ａ／Ｄ変換器７２７は、増幅器７２６から出力された信号を増幅して、増幅後の信号をＣＰＵ７５０に送出する。
【００３６】
マイクロスイッチ５２０，５２２，５２４，５２６のいずれかは、筐体１１０と筐体１２０との接触状態を検出する。その検出に応じた信号は、ＣＰＵ７５０に送られる。
【００３７】
フラッシュメモリ７２９は、血圧情報測定装置１００を作動させるために予め準備されたデータまたはプログラムを格納している。たとえば、フラッシュメモリ７２９は、本実施の形態に係るＣＰＵ７５０に固有の処理を実行させるためのファームウェア、アプリケーションプログラムなどを格納している。アプリケーションプログラムは、たとえば血圧測定プログラム、その他生体情報を取得するためのプログラムなどを含む。また、フラッシュメモリ７２９は、ＣＰＵ７５０によって生成されたデータ（たとえば測定者３００の血圧値、血圧値の測定日時など）を格納する。
【００３８】
ＲＡＭ７３０は、ＣＰＵ７５０によって生成されたデータを揮発的に（一時的に）格納する。格納されるデータは、たとえば、ＣＰＵ７５０によって導出された血圧値、現在時刻などを含む。これらのデータは、血圧情報測定装置１００に対する命令に基づいて、あるいは、予め定められた設定に基づいて、フラッシュメモリ７２９にも書き込まれ得る。この書き込みの命令は、操作スイッチ７３３に対する操作に限られず、筐体１１０の姿勢に応じて与えられても良い。
【００３９】
時計７３１は、血圧情報測定装置１００の内部時刻を計測する。スピーカ７３２は、ＣＰＵ７５０から出力される信号に基づいて音声を出力する。出力される音声は、たとえば血圧情報測定装置１００の状態を示す音声、血圧情報測定装置１００に対する操作を促す音声、あるいは筐体１１０の移動方向の案内を表わす音声などを含む。
【００４０】
操作スイッチ７３３は、血圧情報測定装置１００に対する操作入力を受け付ける。操作スイッチ７３３は、ある局面において、筐体１２０に設けられたボタン、本体モニタ１３０の表示領域に構成されるタッチパネル式のスイッチなどにより実現される。
【００４１】
他の局面において、操作スイッチ６３３は、モードスイッチを含んでも良い。モードスイッチは、血圧情報測定装置１００に対する指示の入力源を、筐体１１０の移動方向と、操作スイッチ７３３との間で切り換える。このモードスイッチの設定内容に応じて血圧情報測定装置１００は、入力を受け付けることができるため、筐体１１０の移動方向に関わらず操作スイッチ７３３に対する操作を優先することができる。これにより、従来の操作に習熟した測定者に対する操作性を維持することもできる。
【００４２】
また、さらに他の局面において、腕置き１２２（図１）は、重量を検知するセンサを含む構成であってもよい。この場合、当該センサは、測定者の腕が置かれたことを検知すると、その検知の結果を示す信号をＣＰＵ７５０に送出する。ＣＰＵ７５０は、その信号の受信に応答して、加圧、減圧、計測等の血圧情報を測定するための処理を実行する。ＣＰＵ７５０は、センサからの信号が送られなくなったことを検知した場合に、当該測定処理を終了するように、血圧情報測定装置１００を制御してもよい。このようにすると、異常時その他の事態が発生した場合に、測定者は、速やかに血圧情報測定装置１００の動作を終了させることができるため、安全性を確保することができる。
【００４３】
ある局面において、ＣＰＵ７５０は、判断部７５１として、血圧情報測定装置１００に対して与えられた命令に基づいて血圧情報測定装置１００の動作を実行するか否かを判定する。たとえば、ＣＰＵ７５０は、マイクロスイッチ５２０，５２２，５２４，５２６のいずれかの出力に基づいて筐体１１０が前後左右のいずれに移動されたかを判断する。
【００４４】
ＣＰＵ７５０は、その判断結果に応じて予め設定された次の処理を実行する。たとえば、血圧情報測定装置１００の動作を設定するためのメニューが階層的に構成されている場合には、ＣＰＵ７５０は、その検出結果に応じて１つ下の階層（より特定的な操作メニューを規定している）に移動する。あるいは、ＣＰＵ７５０は、他の方向への移動を検知すると、当該メニューにおける現在の階層よりも上の階層に移動する。ＣＰＵ７５０が筐体１１０の左右方向の移動を検知すると、ＣＰＵ７５０は、同一階層内のメニューに含まれる項目の選択を実行する。
【００４５】
他の局面において、ＣＰＵ７５０は、マイクロスイッチ５２０，５２２，５２４，５２６から送られた信号を受信した場合に、モードスイッチ（図示しない）の設定に応じて、血圧情報測定装置１００に対する命令として受け付けるか否かを判断する。モードスイッチの設定が、命令の入力源として操作スイッチ７３３を規定している場合には、ＣＰＵ７５０は、マイクロスイッチ５２０，５２２，５２４，５２６からの信号に対して応答しない。
【００４６】
他の局面において、ＣＰＵ７５０は、駆動制御部７５２として、排気弁駆動回路７２１またはエアポンプ駆動回路７２３の駆動を制御する。たとえば、ＣＰＵ７５０は、血圧地を計測するための命令が入力されたことを検知すると、エアポンプ駆動回路４２３に対してエアポンプ７２４を駆動するための命令を与える。エアポンプ駆動回路７２３がその命令に応じて作動を開始すると、エアポンプ７２４から測定用カフ７０４に空気が供給される。一方、ＣＰＵ７５０は、測定用カフ７０４における空気圧が予め定められた圧力値に到達したことを検知すると、あるいは、測定者３００の血圧値の測定が完了したことを検知すると、排気弁７２２を駆動して空気を排出するように、排気弁駆動回路７２１に命令を送出する。
【００４７】
［データ構造］
図８を参照して、本実施の形態に係る血圧情報測定装置１００のデータ構造について説明する。図８は、血圧情報測定装置１００が備えるフラッシュメモリ７２９におけるデータの格納の一態様を概念的に表わす図である。フラッシュメモリ７２９は、筐体１１０の位置と血圧情報測定装置１００の現在の状態とに応じて規定されるメニューをそれぞれ格納している。より特定的には、フラッシュメモリ７２９は、現在の状態８１０と、左入力８２０と、右入力８３０と、上入力８４０と、下入力８５０とを規定する各データを保持している。
【００４８】
たとえば、現在の状態８１０が「初期機能選択」である場合について、マイクロスイッチ５２０，５２２，５２４，５２６に対する入力は、「ユーザ選択」（左入力８２０）と、「時計設定」（右入力８３０）と、「設定なし」（上入力８４０）と、「左右入力で選択した機能」（下入力８５０）として規定されている。この場合、本実施の形態に係る血圧情報測定装置１００は、循環的にメニューを表示してもよい。たとえば、最初の左入力で「ユーザ選択」に切り換わった後、次の左入力で、「時計設定」に切り換わっても良い。あるいは、逆に、最初の右入力で「時計設定」に切り換わった後、次の右入力で「ユーザ選択」に切り換わってもよい。
【００４９】
下入力８５０は、「左右入力で選択した機能」の実行を命令する。メニュー「初期機能選択」の下の階層は、左入力８２０について「ユーザ選択」および右入力８３０について「時計設定」である。たとえば、メニュー「初期機能選択」において、左入力８２０によって「ユーザ選択」が選択され、その選択された状態で下入力８５０が与えられると、メニューの階層は、下の階層である「ユーザ選択」に移行する。
【００５０】
メニュー「ユーザ選択」において、左入力８２０または右入力８３０によって、予め登録されたユーザの選択が行なわれる。この場合も、連続した複数の左入力８２０または複数の右入力８３０によって、ユーザの表示が循環的に切り換わっても良い。また、上入力８４０は、１つ上の階層への移行を命令する。たとえば、「ユーザ選択」から「初期機能選択」に移行する。なお、連続した複数の上入力８４０が与えられた場合には、メニューは、与えられた上入力８４０の数だけ上の階層に移行してもよい。
【００５１】
たとえば、血圧情報測定装置１００の現在の状態８１０が「初期機能選択」である場合において、測定者３００が、上体を左に傾けて左入力８４０を１回行なうと「ユーザ選択」が選択される。その選択された状態で、測定者３００が筐体１１０を押し出すように上体を傾けると、マイクロスイッチ５２４は、筐体１１０が前方に傾いたことを検知する。ＣＰＵ７５０は、その検知結果に基づいて、下入力８５０が行なわれたと判断する。この場合、測定者３００の上体の移動が、血圧情報測定装置１００に対する操作入力として受け付けられることになる。
【００５２】
血圧情報測定装置１００の現在の状態８１０が「ユーザ選択」である場合において、測定者３００が上体を左に傾けると、その体移動は、左入力８２０としてマイクロスイッチ５２０によって検出される。左入力８２０は、「左ユーザ」の選択として設定されている。そのため、複数の予め登録されたユーザが本体モニタ１３０に表示されている場合には、初期に表示されているユーザの左に表示されている他のユーザの名前が使用者として選択され得る。
【００５３】
一方、測定者３００が上体を右に傾けると、マイクロスイッチ５２２は、筐体１１０が右に傾けられたことを検知する。ＣＰＵ７５０は、その検知結果の入力に基づいて、血圧情報測定装置１００に対して右入力が行なわれたことを検知する。右入力８３０は「右ユーザ選択」として規定されているため、ＣＰＵ７５０は、本体モニタ１３０に、血圧情報測定装置１００の起動時に表示されている使用者を示すアイコンの右に表示されている別の使用者を、今回の血圧情報測定装置１００の使用者の候補として表示させる。
【００５４】
測定者３００が上体を反らせて筐体１１０を上方向に移動させると、その移動は上入力８４０としてマイクロスイッチ５２６によって検知される。ＣＰＵ７５０は、マイクロスイッチ５２６からの出力に基づいて、筐体１１０が上入力８４０されたことを検知すると、メニュー「初期機能選択」を選択する。したがって、１つ上の階層のメニューに戻ることになる。一方、測定者３００が上体を前傾させると、筐体１１０は筐体１２０に接触する。この場合、マイクロスイッチ５２４は、その筐体１１０の移動を下入力８５０として検出するため、ＣＰＵ７５０は、下入力８５０として規定されているメニュー、たとえば、「血圧測定」を選択する。メニュー「血圧測定」は、メニュー「ユーザ選択」の下の階層に位置するため、ＣＰＵ７５０は、本体モニタ１３０に、メニュー「血圧測定」を新たなメニューとして表示する。
【００５５】
メニュー「血圧測定」が表示されている場合において、測定者３００が体を左に傾けると、その動きは左入力８２０としてマイクロスイッチによって検知される。ＣＰＵ７５０は、その検知結果に応じて本体モニタ１３０に、予め設定されているメニュー（図示しない）を表示させる。たとえば、血圧情報測定装置１００は、記録を表示する命令を受け付けるメニューを表示する。この場合、表示される記録は、たとえば、前回計測されて保存されている血圧値、前回の計測日時、ユーザの登録情報等を含む。ここで、登録情報とは、ユーザの氏名、身長、体重その他のユーザの属性情報である。
【００５６】
一方、測定者３００が上体を右に傾けると、その動きは、右入力８３０として、マイクロスイッチ５２２によって検知される。ＣＰＵ７５０は、その検知結果に応じて、予め設定されているメニュー（図示しない）を表示する。たとえば、血圧情報測定装置１００は、記録を消去する命令を受け付けるメニューを表示する。あるいは、左入力と同じメニューが規定されていてもよい。
【００５７】
測定者３００が上体を反らせると、その移動は上入力８４０としてマイクロスイッチ５２６によって検知される。ＣＰＵ７５０は、その検知結果に応じて本体モニタ１３０に表示されているメニューを１つ上の階層に切り換える。図８に示される例では、現在のメニュー「血圧測定」から「ユーザ選択」に切り換えられる。一方、測定者３００が上体を前傾させると、その移動は下入力８５０としてマイクロスイッチ５２４によって検知される。しかしながら、図８に示されるように、現在の状態８１０がメニュー「血圧測定」である場合における下入力８５０は「設定なし」として規定されている。したがって、ＣＰＵ７５０は、下入力８５０として「設定なし」を検知しても、その他の表示に切り換えることをしない。この場合、血圧情報測定装置１００は、現在の状態（メニュー「血圧測定」）を維持し続ける。
【００５８】
図８のデータ構造から明らかなように、本実施の形態に係る血圧情報測定装置１００は、筐体１１０の移動方向（姿勢）に応じたコマンドをＣＰＵ７５０に与えることができる。当該コマンドは、図８の例では、メニューの切り換えに関するコマンドであるが、コマンドは、それに限られない。たとえば、血圧値の測定後に、その測定された血圧値を保存するためのコマンドが、筐体１１０のいずれかの移動方向に割り当てられても良い。あるいは、実行中の測定をキャンセルするためのコマンドを、筐体１１０のいずれかの移動方向、あるいは全ての移動方向に割り当てても良い。このようにすると、仮に、血圧情報測定装置１００の動作を急に停止させたい事態が発生した場合であっても、測定者は、単に体を動かすだけで、血圧情報測定装置１００の動作を停止させることができるため、測定者の安全が保たれることになる。また、動作をキャンセルするためのボタンが分かりにくいことによる操作ミスも防止できる。
【００５９】
［制御構造］
図９を参照して、本実施の形態に係る血圧情報測定装置１００の制御構造について説明する。図９は、ＣＰＵ７５０が実行する一連の動作の一部を表わすフローチャートである。
【００６０】
ステップＳ９１０にて、ＣＰＵ７５０は、電源スイッチ（図示しない）のオンを検知する。  ステップＳ９２０にて、ＣＰＵ７５０は、ＲＡＭ７３０を初期化する。また、ＣＰＵ７５０は、圧力センサ７２５の０ｍｍＨｇ調整を行なう。
【００６１】
ステップＳ９３０にて、ＣＰＵ７５０は、マイクロスイッチ５２０，５２２，５２４，５２６からの入力に基づいて、腕帯７１０（筐体１１０）の移動方向（左、右、上、下）を検知する。
【００６２】
ステップＳ９４０にて、ＣＰＵ７５０は、フラッシュメモリ７２９に格納されているデータと、マイクロスイッチから送られる信号とに基づいて、検知した移動方向に対応する設定があるか否かを判定する。ＣＰＵ７５０は、そのような設定があると判定すると（ステップＳ９４０にてＹＥＳ）、制御をステップＳ９５０に切り換える。そうでない場合には（ステップＳ９４０にてＮＯ）、ＣＰＵ７５０は、制御をステップＳ９６０に切り換える。
【００６３】
ステップＳ９５０にて、ＣＰＵ７５０は、その対応する設定に応じた動作を実行する。たとえば、図８に示されるように、メニューが複数階層にわたって規定されている場合には、ＣＰＵ７５０は、フラッシュメモリ７２９に格納されているデータに基づいて階層を一つ変更したメニューを本体モニタ１３０に表示する。ステップＳ９６０にて、ＣＰＵ７５０は、そのままの状態を維持する。ＣＰＵ７５０は、電源スイッチ（図示しない）のＯＦＦを検知するまで、ステップＳ９３０からステップＳ９６０の処理を継続して実行する。
【００６４】
ステップＳ９７０にて、ＣＰＵ７５０は、電源スイッチのＯＦＦを検知する。ＣＰＵ７５０は、処理を終了する。
【００６５】
［表示態様］
図１０を参照して、本実施の形態に係る血圧情報測定装置１００の画面の表示態様について説明する。図１０は、本体モニタ１３０に表示される画面の変化を表わす図である。
【００６６】
図１０（Ａ）は、血圧情報測定装置１００が初期の状態を示す画面を表示している。この表示は、図８における現在の状態８１０が「初期機能選択」である場合に対応する。より具体的には、本体モニタ１３０は、選択可能なアイコンとして「ユーザ選択」を表わすアイコン１０１０と「時計設定」を表わすアイコン１０２０とを表示している。測定者３００が上体を左右に傾けるといずれかのアイコンが選択可能な状態に変化する。たとえば、図１０（Ｂ）は、測定者３００が上体を左または右に傾けた結果、「時計設定」を表わすアイコン１０２０が選択可能な状態になっていることを示す。
【００６７】
図１０（Ａ）に示される状態において、測定者３００が上体を前傾させると、その移動は、下入力８５０として、マイクロスイッチ５２４によって検知される。図８に示されるように、この場合、下入力８５０は「ユーザ選択」として規定されているため、本体モニタ１３０は、図１０（Ａ）に示される画面から図１０（Ｃ）に示される画面に表示を切り換える。
【００６８】
図１０（Ｃ）を参照して、本体モニタ１３０は、血圧情報測定装置１００について登録されたユーザとして、たとえば３名のユーザを示すアイコン１０３０，１０４０，１０５０を表示する。このうち、アイコン１０３０は初期の表示として最初に登録されたユーザＡが選択可能な状態であることを示す。この状態で、測定者３００が上体を左右に移動すると、その移動に応じて筐体１１０も移動する。その移動は、マイクロスイッチ５２０またはマイクロスイッチ５２２によって検知される。
【００６９】
たとえば、測定者３００が上体を右に傾けると、その移動は右入力８３０としてマイクロスイッチ５２２によって検知される。ＣＰＵ７５０は、メニューが「ユーザ選択」である場合における右入力８３０が「右ユーザ選択」であることに基づいて（図８）、本体モニタ１３０に選択可能なユーザとしてユーザＢを表わすアイコン１０４０を他のアイコンとは異なる態様で表示させる。たとえば、アイコン１０４０の色、形状等を他のアイコンとは異なる態様で示す（図１０（Ｄ））。さらに、測定者３００が上体を右に傾けると、ユーザＢの右に表示されているユーザＣを示すアイコン１０５０が選択可能なユーザとして表示される。
【００７０】
測定者３００が上体を前傾させると、その移動は下入力８５０としてマイクロスイッチ５２４によって検知される。そうすると、本体モニタ１３０は、その検知に基づいて、表示をメニュー「ユーザ選択」の表示からメニュー「選択ユーザ用メニュー」の表示に切り換える（図１０（Ｆ））。この場合、たとえばユーザＡが選択されている場合においてメニュー「選択ユーザ用メニュー」が選択されると、ユーザＡを示すアイコン１０６０と、血圧測定の開始命令を受け付けるアイコン１０７０と、記録表示の命令を受け付けるアイコン１０８０とが選択可能なメニューとして表示される。測定者３００が上体を左右に傾けると、選択可能な操作メニューとして血圧測定のためのアイコン１０７０と記録表示のためのアイコン１０８０との間で表示が切り換わる。
【００７１】
［実施の形態に係る血圧情報測定装置１００の効果］
以上のようにして、本発明の実施の形態に係る血圧情報測定装置１００は、筐体１１０，１２０に加えて、連結部１４０を備える。連結部１４０は、血圧情報測定装置１００が設置される面に置かれる筐体１２０に対して予め定められた範囲内での筐体１１０の移動を可能にする。これにより、血圧情報測定装置１００は、筐体１１０に挿入された測定者の腕の位置の変化に応じて異なる姿勢をとることができる。血圧情報測定装置１００は、筐体１１０の姿勢（移動方向又は傾き方向）を検知し、その検知の結果を、血圧情報測定装置１００に対する命令の入力として受け付ける。血圧情報測定装置１００は、その姿勢に応じて、メニュー画面を本体モニタ１３０に表示し、メニュー項目の選択を受け付ける。
【００７２】
これにより、本発明の実施の形態に係る血圧情報測定装置１００は、測定者の利き腕に関わらず、上腕の移動方向に応じてメニュー画面を表示し、表示内容を切り換え、血圧情報測定装置１００に対する命令（コマンド）の入力を受け付ける。これにより、右利きの測定者および左利きの測定者のいずれに対しても同じ操作性を与えられる血圧情報測定装置を提供することができる。これにより、たとえば、左利きの測定者が右腕を挿入した場合に、腕帯（筐体１１０）の右側の操作スイッチを腕帯越しに操作することになるといった不都合がなくなる。
【００７３】
また、連結部１４０は、筐体１１０，１２０の間に配置され、筐体１１０，１２０の内部の空間を利用して構成される。したがって、連結部１４０による血圧情報測定装置１００全体が大型化されることなく、血圧情報測定装置１００は、右利きの測定者および左利きの測定者のいずれに対しても同じ操作性を与えることができる。
【００７４】
なお、上述の実施の形態においては、筐体１１０の姿勢を検知するための構成として、連結部１４０がマイクロスイッチ５２０，５２２，５２４，５２６を含む構成が例示された。しかしながら、筐体１１０の姿勢の検知は、マイクロスイッチに限られない。たとえば、他の局面に従う血圧情報測定装置において、筐体１１０に加速度センサが取り付けられても良い。この場合、少なくとも２つの加速度センサによって前後方向および左右方向の移動が検知される。具体的には、ステップＳ９３０における処理の内容が、加速度センサからの出力に応じたものに変わる。ＣＰＵ７５０は、加速度センサからの出力に応じて前後方向あるいは左右方向の移動を検知するため、その検知結果に応じて本体モニタ１３０にメニューを表示させてもよい。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７６】
本発明は、血圧計、脈波形その他の血圧情報測定装置に適用可能である。
【図面の簡単な説明】
【００７７】
【図１】本発明の実施の形態に係る血圧情報測定装置１００の外観を表わす図である。
【図２】筐体１１０の移動の状態を表わす図である。
【図３】測定者３００が腕を血圧情報測定装置１００に挿入した状態を測定者の横から表わす図である。
【図４】血圧情報測定装置１００と測定者３００とを上から表わす図である。
【図５】筐体１１０，１２０と連結部１４０とを水平方向から表わす図である。
【図６】マイクロスイッチ５２０，５２２，５２４，５２６を上から表わす図である。
【図７】血圧情報測定装置１００のハードウェア構成の概略を表わすブロック図である。
【図８】血圧情報測定装置１００が備えるフラッシュメモリ７２９におけるデータの格納の一態様を概念的に表わす図である。
【図９】血圧情報測定装置１００が備えるＣＰＵ７５０が実行する一連の動作の一部を表わすフローチャートである。
【図１０】血圧情報測定装置１００の本体モニタ１３０に表示される画面の変化を表わす図である。
【符号の説明】
【００７８】
１００  血圧情報測定装置、１１０，１２０  筐体、１１０ａ，１１０ｂ，１１０ｃ，１１０ｄ  場所、１２２  腕置き、１３０  本体モニタ、１４０  連結部、３００  測定者、３１０  右上腕、５１０  回転軸、５１２，５１４  コイルバネ、５２０，５２２，５２４，５２６  マイクロスイッチ、５３０，５３２，５４０，５４２，５４４，５４６  接点、７０４  測定用カフ、７２１  排気弁駆動回路、７２２  排気弁、７２３  エアポンプ駆動回路、７２４  エアポンプ、７２５  圧力センサ、７２６  増幅器、７２７  Ａ／Ｄ変換器、７２９  マイクロスイッチ、７３０  ＲＡＭ、７３１  時計、７３２  スピーカ、７３３  操作スイッチ、７５０  ＣＰＵ、７５１  判断部、７５２  駆動制御部、７５３  表示制御部、１０１０，１０２０，１０３０，１０４０，１０５０，１０６０，１０７０，１０８０  アイコン。
【図１】
2010046202.tif 000003
【図２】
2010046202.tif 000004
【図３】
2010046202.tif 000005
【図４】
2010046202.tif 000006
【図５】
2010046202.tif 000007
【図６】
2010046202.tif 000008
【図７】
2010046202.tif 000009
【図８】
2010046202.tif 000010
【図９】
2010046202.tif 000011
【図１０】
2010046202.tif 000012